(57)【要約】【課題】接合部の木材が劣化している場合においても接合部の補強を容易に行うことが可能な柱脚金具及びそれを用いた木造建造物の補強方法を提供すること。【解決手段】木製の柱材３と土台材２との接合部を補強する柱脚金具４は、柱材３の下端部を被覆する嵌装部４２と、土台材２に設けられたほぞ穴６に嵌合される嵌合部４１と、を具備する。柱脚金具４の嵌合部４１を土台材２のほぞ穴６に挿入すると共に、切除後の柱材３の下端部を柱脚金具４の嵌装部４２に挿入することにより、柱材３と土台材２とを接合する。【選択図】  図２
2009144458.tif 000002
【特許請求の範囲】
【請求項１】
木製の柱材と土台材との接合部を補強する柱脚金具であって、
上記柱材の下端部を被覆する嵌装部と、上記土台材に設けられたほぞ穴に嵌合される嵌合部と、を具備することを特徴とする木造建造物の柱脚金具。
【請求項２】
請求項１記載の木造建造物の柱脚金具において、
上記嵌装部及び嵌合部は、上記土台材の長手方向に沿う少なくとも１つのリブを有する中空押出形材にて一体に形成され、上記嵌装部は、上記リブ及びリブに対して平行な側片が切除された残りの断面コ字状部にて形成され、上記嵌合部は、リブと、該リブに対して平行な側片、あるいは互いに平行なリブと、上記リブと直交する側片とからなる中空矩形部にて形成される、ことを特徴とする木造建造物の柱脚金具。
【請求項３】
木製の柱材と土台材との接合部を補強する木造建造物の補強方法であって、
上記柱材の下端部を切除し、
上記土台材の所定箇所にほぞ穴を設け、
請求項１又は２に記載の柱脚金具の嵌合部を上記土台材のほぞ穴に挿入すると共に、切除後の柱材の下端部を上記柱脚金具の嵌装部に挿入する、
ことを特徴とする木造建造物の補強方法。
【請求項４】
木製の柱材と土台材との接合部を補強する木造建造物の補強方法であって、
上記柱材の下端部を切除し、
上記土台材の一部を切除し、該切除部分に土台材の長手方向に沿う少なくとも１つのリブを有すると共に、リブと側片あるいはリブ同士からなるほぞ穴を有する中空押出形材からなる新規土台材を配置し、
請求項１又は２に記載の柱脚金具の嵌合部を上記新規土台材のほぞ穴に挿入すると共に、切除後の柱材の下端部を上記柱脚金具の嵌装部に挿入する、
ことを特徴とする木造建造物の補強方法。
【請求項５】
請求項３又は４に記載の木造建造物の補強方法において、
上記切除後の柱材の下端部と柱脚金具の嵌装部の下端部との間にスペーサを介挿する、ことを特徴とする木造建造物の補強方法。
【請求項６】
請求項５記載の木造建造物の補強方法において、
上記切除後の柱材の下端部にほぞ穴を設けると共に、上記スペーサの上面にほぞを設け、上記ほぞ穴にほぞを嵌合する、ことを特徴とする木造建造物の補強方法。
【請求項７】
請求項５又は６に記載の木造建造物の補強方法において、
上記スペーサが、切除された柱材の下端部に介挿される上部スペーサ半体と、該上部スペーサ半体と上記柱脚金具の嵌装部の下端部との間に介挿される下部スペーサ半体とからなり、上記スペーサ半体の下端部と下部スペーサ半体の上端部の対向する面のいずれか一方にほぞを設け、他方の面にほぞと嵌合可能なほぞ穴を設けてなる、ことを特徴とする木造建造物の補強方法。
【発明の詳細な説明】
【技術分野】
【０００１】
この発明は、木造建造物の柱脚金具及びそれを用いた木造建造物の補強方法に関するものである。
【背景技術】
【０００２】
一般に、木造住宅などの建造物の構造は、鉄筋入りコンクリートの基礎を築き、この基礎に沿って載置された土台材と、該土台材の上に立設された柱材とからなっている。
【０００３】
また、近年では、このような木造住宅については、耐震性の向上や老朽化の対策が要求されている。特に、住宅の重量を支えるために重要な土台材と柱材との接合部の補強が重要視されている。
【０００４】
従来、木造建造物の補強金具及び補強方法として、Ｌ字型の金具と該Ｌ字型金具に対して筋交い状に配される補強部材とをビスによって固定するものが知られている（例えば、特許文献１参照）。
【特許文献１】特開２００３−２９３４６３号公報（特許請求の範囲、図１〜図４）
【発明の開示】
【発明が解決しようとする課題】
【０００５】
しかしながら、特許文献１に記載の技術は、補強金具を直接土台材及び柱材にビス等で固定するものである。このため、白蟻による食害や腐食により補強の対象となる接合部の木材が劣化している場合には適用できない懸念がある。
【０００６】
この発明は、上記事情に鑑みてなされたもので、接合部の木材が劣化している場合においても接合部の補強を容易に行うことが可能な柱脚金具及びそれを用いた木造建造物の補強方法を提供することを課題とする。
【課題を解決するための手段】
【０００７】
上記課題を解決するため、請求項１記載の発明は、木製の柱材と土台材との接合部を補強する柱脚金具であって、上記柱材の下端部を被覆する嵌装部と、上記土台材に設けられたほぞ穴に嵌合される嵌合部と、を具備することを特徴とする。
【０００８】
このように構成することにより、柱材の下端部が劣化しても、当該部分を切除して嵌装部を被覆することで、土台材と柱材とを接合することができる。
【０００９】
請求項２記載の発明は、請求項１記載の木造建造物の柱脚金具において、上記嵌装部及び嵌合部は、上記土台材の長手方向に沿う少なくとも１つのリブを有する中空押出形材にて一体に形成され、上記嵌装部は、上記リブ及びリブに対して平行な側片が切除された残りの断面コ字状部にて形成され、上記嵌合部は、リブと、該リブに対して平行な側片、あるいは互いに平行なリブと、上記リブと直交する側片とからなる中空矩形部にて形成される、ことを特徴とする。
【００１０】
このように構成することにより、柱脚金具を中空押出形材にて一体に形成するので、強度の向上が図れると共に、コストの低廉化が図れる。また、押出形材のリブを利用してほぞを形成することにより、寸法精度の向上を図ることができる。
【００１１】
また、請求項３記載の発明は、木製の柱材と土台材との接合部を補強する木造建造物の補強方法であって、上記柱材の下端部を切除し、上記土台材の所定箇所にほぞ穴を設け、請求項１又は２に記載の柱脚金具の嵌合部を上記土台材のほぞ穴に挿入すると共に、切除後の柱材の下端部を上記柱脚金具の嵌装部に挿入する、ことを特徴とする。
【００１２】
このように構成することにより、柱材の下端部が劣化しても、当該部分を切除して嵌装部を被覆することで、土台材と柱材とを容易に接合することができる。
【００１３】
また、請求項４記載の発明は、木製の柱材と土台材との接合部を補強する木造建造物の補強方法であって、上記柱材の下端部を切除し、上記土台材の一部を切除し、該切除部分に土台材の長手方向に沿う少なくとも１つのリブを有すると共に、リブと側片あるいはリブ同士からなるほぞ穴を有する中空押出形材からなる新規土台材を配置し、請求項１又は２に記載の柱脚金具の嵌合部を上記新規土台材のほぞ穴に挿入すると共に、切除後の柱材の下端部を上記柱脚金具の嵌装部に挿入する、ことを特徴とする。
【００１４】
このように構成することにより、柱材だけでなく、土台材も劣化した状態においても、土台材の劣化した部分を切除して、中空押出形材からなる新規土台材を配置すると共に、新規土台材のほぞ穴に柱脚金具の嵌合部を挿入し嵌合することで、土台材と柱材とを容易に接合することができる。また、押出形材のリブを利用してほぞを形成することにより、寸法精度の向上を図ることができる。
【００１５】
また、請求項５記載の発明は、請求項３又は４に記載の木造建造物の補強方法において、上記切除後の柱材の下端部と柱脚金具の嵌装部の下端部との間にスペーサを介挿する、ことを特徴とする。この場合、上記切除後の柱材の下端部にほぞ穴を設けると共に、上記スペーサの上面にほぞを設け、上記ほぞ穴にほぞを嵌合する方が好ましい（請求項６）。また、上記スペーサが、切除された柱材の下端部に介挿される上部スペーサ半体と、該上部スペーサ半体と上記柱脚金具の嵌装部の下端部との間に介挿される下部スペーサ半体とからなり、上記スペーサ半体の下端部と下部スペーサ半体の上端部の対向する面のいずれか一方にほぞを設け、他方の面にほぞと嵌合可能なほぞ穴を設けてもよい（請求項７）。
【００１６】
このように構成することにより、切除後の柱材の下端部と柱脚金具の嵌装部の下端部との間にスペーサを介挿して、柱材と柱脚金具とを一体化することができる。この場合、切除後の柱材の下端部に設けたほぞ穴に、スペーサの上面に設けたほぞを嵌合することにより、柱材とスペーサとが強固に接合される（請求項６）。また、スペーサを、嵌合可能な上部スペーサ半体と下部スペーサ半体とで構成することで、切除後の柱材の下端部と柱脚金具の嵌装部の下端部との間の隙間の寸法に合わせてスペーサを介挿することができる。
【発明の効果】
【００１７】
この発明によれば、上記のように構成されているので、以下のような優れた効果が得られる。
【００１８】
（１）請求項１記載の発明によれば、柱材の下端部が劣化しても、当該部分を切除して嵌装部を被覆することで、土台材と柱材とを接合することができるので、土台材と柱材との接合を容易にすることができる。
【００１９】
（２）請求項２に記載の発明によれば、柱脚金具を中空押出形材にて一体に形成するので、上記（１）に加えて、更に強度の向上が図れると共に、コストの低廉化が図れる。また、押出形材のリブを利用してほぞを形成することにより、寸法精度の向上を図ることができるので、上記（１）に加えて、更に土台材と柱材との接合を容易かつ確実にすることができる。
【００２０】
（３）請求項３記載の発明によれば、柱材の下端部が劣化しても、当該部分を切除して嵌装部を被覆することで、土台材と柱材とを接合することができるので、土台材と柱材との接合を容易にすることができる。
【００２１】
（４）請求項４記載の発明によれば、上記（３）に加えて、更に土台材も劣化した状態においても、土台材の劣化した部分を切除して、中空押出形材からなる新規土台材を配置すると共に、新規土台材のほぞ穴に柱脚金具の嵌合部を挿入し嵌合することで、土台材と柱材とを容易に接合することができる。また、押出形材のリブを利用してほぞを形成することにより、寸法精度の向上を図ることができる。
【００２２】
（５）請求項５記載の発明によれば、切除後の柱材の下端部と柱脚金具の嵌装部の下端部との間にスペーサを介挿して、柱材と柱脚金具とを一体化することができるので、上記（４）に加えて、更に接合部を強固にすることができる。この場合、切除後の柱材の下端部に設けたほぞ穴に、スペーサの上面に設けたほぞを嵌合することにより、柱材とスペーサとを更に強固に接合することができる（請求項６）。また、スペーサを、嵌合可能な上部スペーサ半体と下部スペーサ半体とで構成することで、切除後の柱材の下端部と柱脚金具の嵌装部の下端部との間の隙間の寸法に合わせてスペーサを介挿することができる（請求項７）。
【発明を実施するための最良の形態】
【００２３】
以下に、この発明の最良の実施形態について、添付図面に基づいて詳細に説明する。
【００２４】
＜第１実施形態＞
図１は、この発明の第１実施形態に係る木造建造物の立柱構造を示す概略斜視図、図２は、図１の要部を示す斜視図、図３は、図２の分解斜視図である。
【００２５】
この木造建造物の立柱構造は、木造建造物の基礎１上に設置される土台材２と、土台材２上に立設される柱材３とを、図４に示すこの発明に係る柱脚金具４を用いて、土台材２と柱材３とを連結する構造である。
【００２６】
基礎１は、鉄筋入りコンクリート製である。基礎１には柱材３の立設位置を外して土台材２を固定するためのアンカーボルト５が立設されている。
【００２７】
土台材２は、木造建造物の外壁側の側面における柱材３の接合箇所に上端及び外方に向かって開口するほぞ穴６が設けられている（図３参照）。このほぞ穴６に後述する柱脚金具４の嵌合部４１が嵌合される。
【００２８】
柱材３は、木材にて形成されており、その下端部の劣化部が切除されて、切除された後の柱材３の下端部の３辺に後述する柱脚金具４の嵌装部４２が被覆されている。なお、柱材３を土台材２に接合する際には、柱材３の下端部の対向する２辺には互いに平行な２個の固定用の貫通孔３１が穿設される。
【００２９】
柱脚金具４は、図５に示すように、４つの側片４０ａ〜４０ｄからなる中空部４ａに少なくとも１つ（図５においては１つの場合を示す）のリブ４３を有する、アルミニウム合金製の略矩形状の中空押出形材４０からなる。この場合、中空押出形材４０における上端側の例えば略２／３の部分のリブ４３及びリブ４３に対して平行な側片４０ａを、図５における切削線７ａに沿って切除された残りの断面コ字状部にて嵌装部４２が形成される。また、中空押出形材４０における下端側の例えば略１／３の部分を、図５における切削線７ｂに沿って切除することにより、リブ４３と、このリブ４３に対して直交する一対の側片４０ｂ，４０ｃとからなる中空矩形状の嵌合部４１が形成されている。
【００３０】
したがって、柱脚金具４は、図４に示すように、上端側の略２／３の部分のリブ４３及びリブ４３に対して平行な側片４０ａが切除された残りの断面コ字状部にて形成される嵌装部４２と、この嵌装部４２の切除された側片４０ａの下端部に延在する側片４０ａと、側片４０ａと対向するリブ４３と、側片４０ａ及びリブ４３と直交する一対の側片４０ｂ，４０ｃとからなる中空矩形部にて形成される嵌合部４１とからなる。このように形成される柱脚金具４の嵌合部４１によっていわゆる片胴付きのほぞが形成される。
【００３１】
このように、柱脚金具４を、アルミニウム製の中空押出形材にて一体に形成することにより、強度の向上が図れると共に、コストの低廉化が図れる。また、押出形材のリブ４３を利用してほぞを構成する嵌合部４１を形成することにより、寸法精度の向上が図れ、土台材２と柱材３の接合を容易かつ確実にすることができる。
【００３２】
なお、柱脚金具４の嵌装部４２における対向する側片４０ｂ，４０ｃの対向する４箇所には第１の貫通孔４４ａが穿設されている。また、嵌合部４１におけるリブ４３と側片４０ａの対向する４箇所には第２の貫通孔４４ｂが穿設されている。
【００３３】
上記のように形成される柱脚金具４を用いて、土台材２と柱材３とを接合するには、まず、下端部が切除された柱材３の下端部の対向する２辺に、互いに平行な２個の固定用の貫通孔３１を穿設する。また、土台材２における柱材３の接合部にほぞ穴６を設けると共に、土台材２の長手方向に沿うほぞ穴６の側面の２箇所に互いに平行な固定用の貫通孔６１を穿設する。
【００３４】
次に、柱脚金具４の嵌装部４２を斜めにした状態で柱材３の下端部から挿入しながら回動して嵌合部４１を土台材２のほぞ穴６に挿入すると共に、柱材３の下端部を嵌装部４２に挿入して、嵌合部４１をほぞ穴６に嵌合し、柱材３の下端部に嵌装部４２を被覆する。
【００３５】
次に、嵌装部４２に設けられた第１の貫通孔４４ａと柱材３に設けられた固定用の貫通孔３１に第１の固定部材である２本の固定ピン８ａを貫通して、嵌装部４２と柱材３を固定する。また、嵌合部４１に設けられた第２の貫通孔４４ｂと土台材２のほぞ穴６に設けられた固定用の貫通孔６１に第２の固定部材である２本の固定ピン８ｂを貫通して、嵌合部４１と土台材２を固定する。
【００３６】
上記のようにして、この発明に係る柱脚金具４を用いて、劣化した柱材３と土台材２を接合することができる。
【００３７】
なお、第１実施形態では、柱材３の下端部を切除した分だけ隙間が生じるが、隙間に対応した厚さのスペーサ（図示せず）を柱材３の下端部と嵌装部４２の下端部との間に介挿する必要がある。また、この発明に係る柱脚金具４は新築の木造建造物にも適用でき、この場合はスペーサを用いずに柱材３と土台材２を強固に接合することができる。
【００３８】
＜第２実施形態＞
図６は、この発明に係る木造建造物の立柱構造を示す要部斜視図、図７は、図６の分解斜視図、図８は、図６のIII−IIIに線に沿う断面図である。
【００３９】
第２実施形態は、切除された柱材と土台材との間の隙間をスペーサによって充填して、柱材３と土台材２との接合を強固にした場合である。
【００４０】
すなわち、第２実施形態に係る木造建造物の立柱構造は、切除後の柱材３の下端部と柱脚金具４の嵌装部４２の下端部との間にスペーサ１０を介挿して、柱材３と土台材２との接合を強固にした場合である。この場合、切除後の柱材３の下端部には、ほぞ穴３２が設けられており、このほぞ穴３２に、スペーサ１０の上面に設けられたほぞ１１を嵌合して柱材３とスペーサ１０とが一体化される。
【００４１】
上記スペーサ１０は、例えばアルミダイキャストや鋳鉄製又は木製部材にて形成されており、柱脚金具４の嵌装部４２の下端部に挿入される矩形ブロック状の基部１２の上面の中央部に、両胴付きのほぞ１１を突設してなる。また、スペーサ１０の基部１２とほぞ１１には、それぞれスペーサ１０の長手方向に貫通する互いに平行な２個の貫通孔１３ａ，１３ｂが穿設されている。なお、スペーサ１０の基部１２の高さは、柱材３の切除される寸法に合わせて設定される。
【００４２】
なお、第２実施形態において、上記柱脚金具４の嵌装部４２の対向する側片４０ｂ，４０ｃの対向する８箇所には第１の貫通孔４４ａが穿設されている。
【００４３】
なお、第２実施形態において、その他の部分は第１実施形態と同じであるので、同一部分には同一符号を付して説明は省略する。
【００４４】
上記のように構成される第２実施形態に係る木造構造物の立脚構造を組み立てるには、まず、下端部が切除された柱材３の下端部にほぞ穴３２を設けると共に、下端部の対向する２辺に、互いに平行な２個の固定用の貫通孔３１を穿設する。また、土台材２における柱材３の接合部にほぞ穴６を設けると共に、土台材２の長手方向に沿うほぞ穴６の側面の２箇所に互いに平行な固定用の貫通孔６１を穿設する。
【００４５】
次に、柱脚金具４の嵌装部４２を斜めにした状態で柱材３の下端部から挿入しながら回動（起立）して嵌合部４１を土台材２のほぞ穴６に挿入すると共に、柱材３の下端部を嵌装部４２に挿入して、嵌合部４１をほぞ穴６に嵌合し、柱材３の下端部に嵌装部４２を被覆する。
【００４６】
次に、柱材３の切除量に対応した寸法に予め設定されたスペーサ１０を用意し、このスペーサ１０のほぞ１１を柱材３に設けられたほぞ穴３２に嵌合して柱材３とスペーサ１０とを一体化し、柱材３の下端部及びスペーサ１０に嵌装部４２を被覆する。
【００４７】
なお、スペーサ１０のほぞ１１を柱材３に設けられたほぞ穴３２に嵌合して柱材３とスペーサ１０とを一体化した後に、柱脚金具４の嵌装部４２を斜めにした状態で柱材３の下端部から挿入しながら回動（起立）して嵌合部４１を土台材２のほぞ穴６に挿入すると共に、柱材３の下端部を嵌装部４２に挿入して、嵌合部４１をほぞ穴６に嵌合し、柱材３の下端部に嵌装部４２を被覆するようにしてもよい。
【００４８】
また、ジャッキ等を用いて一時的に柱材３を上方に持ち上げることができる場合は、柱脚金具４を起立させた状態で水平に移動して嵌合部４１をほぞ穴６に嵌合した後、ジャッキ等による持ち上げを解除し柱材３を下方に戻して、柱材３の下端部に嵌装部４２を被覆するようにしてもよい。
【００４９】
次に、嵌装部４２に設けられた第１の貫通孔４４ａと柱材３に設けられた固定用の貫通孔３１とスペーサ１０に設けられた貫通孔１３ａ，１３ｂに第１の固定部材である４本の固定ピン８ａを貫通して、嵌装部４２と柱材３及びスペーサ１０を固定する。また、嵌合部４１に設けられた第２の貫通孔４４ｂと土台材２のほぞ穴６に設けられた固定用の貫通孔６１に第２の固定部材である２本の固定ピン８ｂを貫通して、嵌合部４１と土台材２を固定する。
【００５０】
上記のように構成される第２実施形態によれば、切除後の柱材３の下端部と柱脚金具４の嵌装部４２の下端部との間にスペーサ１０を介挿して、柱材３と柱脚金具４とを一体化することができ、柱材３と土台材２との接合部を強固にすることができる。
【００５１】
なお、上記説明では、スペーサ１０が１つの部材にて形成される場合について説明したが、スペーサ１０を２部材にて形成してもよい。例えば、図９に示すように、スペーサ１０Ａを、切除された柱材３の下端部に介挿される上部スペーサ半体１４と、上部スペーサ半体１４と柱脚金具４の嵌装部４２の下端部との間に介挿される下部スペーサ半体１５とで構成してもよい。この場合、上部スペーサ半体１４の下端部と下部スペーサ半体１５の上端部の対向する面のいずれか一方（図９では、上部スペーサ半体１４を示す）にほぞ１６が設けられ、他方（図９では下部スペーサ半体１５を示す）の面にほぞ１６と嵌合可能なほぞ穴１７が設けられている。なお、ほぞ１６を下部スペーサ半体１５の上面に設け、ほぞ穴１７を上部スペーサ半体１４の下面に設けてもよい。また、上部スペーサ半体１４の上面には、柱材３の下端面に設けられたほぞ穴３２に嵌合可能なほぞ１１が設けられている。なお、この場合、上部スペーサ半体１４は、基部１２の上下部にほぞ１１，１６を設けた略十字状に形成され、ほぞ１１，１６には、それぞれ貫通孔１３ｂが穿設されている。また、下部スペーサ半体１５には、柱脚金具４の嵌装部４２に設けられた第１の貫通孔４４ａ及び上記貫通孔１３ｂに連通する貫通孔１３ｃが穿設されている。
【００５２】
なお、この場合、上部スペーサ半体１４は、例えばアルミダイキャストや鋳鉄製又は木製部材にて形成されている。また、下部スペーサ半体１５は、柱材３と同様に木製部材にて形成され、柱材３の追加材としての役割を有する。
【００５３】
上記のように、スペーサ１０Ａを、嵌合可能な上部スペーサ半体１４と下部スペーサ半体１５とで構成することにより、１個の場合に比べてスペーサ１０Ａの高さを高くすることができるので、柱材３の劣化状態が下端部の広い範囲に及んでいる場合において、柱材３の切除量を多くした場合に好適である。
【００５４】
＜第３実施形態＞
図１０は、この発明に係る木造建造物の立柱構造を示す要部斜視図、図１１は、図１０の分解斜視図である。
【００５５】
第３実施形態は、柱材の劣化に加えて土台材も劣化した場合の柱材と土台材の両方を補強できるようにした場合である。すなわち、第３実施形態に係る木造建造物の立柱構造は、柱材３の下端部を切除すると共に、柱材３と接合する土台材２の劣化部を切除し、切除された柱材３の下端部を柱脚金具４の嵌装部４２によって被覆し、また、土台材２の切除部に新規土台材２０を配置し、新規土台材２０に設けられたほぞ穴６Ａに柱脚金具４の嵌合部４１を嵌合した場合である。
【００５６】
この場合、新規土台材２０は、４つの側片２０ａ〜２０ｄからなる中空部の長手方向に沿う少なくとも１つ（図１０，図１１では２つを示す）のリブ２１ａ，２１ｂを有する、アルミニウム合金製の断面が略矩形状の中空押出形材にて形成されている。また、新規土台材２０の上面には、リブ２１ａと側片２０ａとからなるほぞ穴６Ａが設けられている。更に、新規土台材２０の外側の側片２０ａにおけるほぞ穴６Ａを構成する部分には、互いに平行な２つの貫通孔６１Ａが穿設されている。
【００５７】
なお、第３実施形態において、柱材３の下端部と柱脚金具４の下端部との間には、第２実施形態と同様にスペーサ１０が介挿されている。柱材３とスペーサ１０の構造は第２実施形態と同じであるので、同一部分には同一符号を付して説明は省略する。
【００５８】
次に、第３実施形態に係る木造構造物の立脚構造の組立手順について説明する。まず、柱材３の劣化した下端部を切除し、下端部が切除された柱材３の下端部にほぞ穴３２を設けると共に、下端部の対向する２辺に、互いに平行な２個の固定用の貫通孔３１を穿設する。また、土台材２の劣化した部分を切除し、予め土台材２の切除した箇所の寸法に設定された新規土台材２０を切除部分に配置する。この新規土台材２０における柱材３の接合部に、ほぞ穴６Ａを設けると共に、新規土台材２０の外側の側片２０ａにおけるほぞ穴６Ａを構成する部分に、互いに平行な２つの貫通孔６１Ａを穿設する。なお、新規土台材２０は、例えば長手方向の２箇所をアンカーボルト（図示せず）によって基礎１上に固定される。
【００５９】
次に、柱脚金具４の嵌装部４２を斜めにした状態で、水平に移動して柱材３の下端部から挿入しながら回動（起立）して柱材３の下端部を嵌装部４２に挿入すると共に、嵌合部４１を新規土台材２０のほぞ穴６Ａに落とし込むようにして嵌合し、柱材３の下端部に嵌装部４２を被覆する。なお、予め柱脚金具４の嵌合部４１を新規土台材２０のほぞ穴６Ａに挿入して、新規土台材２０に柱脚金具４を装着した状態で、新規土台材２０を切除部分に配置してもよい。
【００６０】
次に、柱材３の切除量に対応した寸法に予め設定されたスペーサ１０を用意し、このスペーサ１０のほぞ１１を柱材３に設けられたほぞ穴３２に嵌合して柱材３とスペーサ１０とを一体化し、柱材３の下端部及びスペーサ１０に嵌装部４２を被覆する。
【００６１】
また、ジャッキ等を用いて一時的に柱材３を上方に持ち上げることができる場合は、柱脚金具４を起立させた状態で水平に移動し、嵌合部４１を新規土台材２０のほぞ穴６Ａに落とし込むようにして嵌合した後、ジャッキ等による持ち上げを解除し柱材３を下方に戻して、柱材３の下端部に嵌装部４２を被覆するようにしてもよい。
【００６２】
次に、嵌装部４２に設けられた第１の貫通孔４４ａと柱材３に設けられた固定用の貫通孔３１とスペーサ１０に設けられた貫通孔１３ａ，１３ｂに第１の固定部材である４本の固定ピン８ａを貫通して、嵌装部４２と柱材３及びスペーサ１０を固定する。また、嵌合部４１に設けられた第２の貫通孔４４ｂと新規土台材２０に設けられた固定用の貫通孔６１Ａに第２の固定部材である２本の固定ピン８ｂを貫通して、嵌合部４１と土台材２を固定する。
【００６３】
上記のように構成される第３実施形態によれば、柱材３だけでなく、土台材２も劣化した状態においても、土台材２の劣化した部分を切除して、中空押出形材からなる新規土台材２０を配置すると共に、新規土台材２０のほぞ穴６Ａに柱脚金具４の嵌合部４１を挿入し嵌合することで、新規土台材２０と柱材３とを容易に接合することができる。また、第３実施形態によれば、柱脚金具４は押出形材のリブ４３を利用してほぞ（嵌合部４１）を形成し、新規土台材２０は押出形材のリブ２１を利用してほぞ穴６Ａを形成するので、寸法精度の向上を図ることができ、柱材３と新規土台材２０との接合を強固にすることができる。
【００６４】
＜その他の実施形態＞
上記実施形態においては、柱脚金具４の嵌合部４１が中空押出形材の側片４０ａと、側片４０ａと対向するリブ４３と、側片４０ａ及びリブ４３と直交する一対の側片４０ｂ，４０ｃとからなる中空矩形部にて形成される場合について説明したが、嵌合部４１は、必ずしもこのような構造に限定されるものではない。例えば、図１２に示すように、柱脚金具４の嵌合部４１を構成するリブ４３と側片４０ａの対向する部位にリブ４３及び側片４０ａと直交する１又は複数（図１２では２個を示す）の補強リブ４５を設けるようにしてもよい。
【００６５】
このように嵌合部４１を構成する中空矩形部内に補強リブ４５を設けることにより、柱脚金具４の嵌合部４１の強度を更に高めることができると共に、柱材３と土台材２との接合部の強度を向上させることができる。
【００６６】
なお、図１２において、その他の部分は第１実施形態と同じであるので、同一部分には同一符号を付して説明は省略する。
【００６７】
また、上記第３実施形態では、柱脚金具４の嵌合部４１が片胴付きのほぞを形成し、新規土台材２０に設けられるほぞ穴６Ａが新規土台材２０の側片２０ａとリブ２１によって形成される場合について説明したが、別の形態にしてもよい。例えば、図１３に示すように、柱脚金具４Ａを、互いに平行な２つのリブ４３，４３ａを有する中空押出形材にて形成すると共に、嵌合部４１Ａを、２つのリブ４３，４３ａと、これら４３，４３ａと直交する側片２０ｂ，２０ｃとからなる両胴付きのほぞとしてもよい。また、柱脚金具４Ａの嵌合部４１Ａに合わせて、新規土台材２０Ａのほぞ穴６Ｂを、新規土台材２０Ａの２つのリブ２１ａ，２１ｂ間に形成してもよい。
【００６８】
このように、柱脚金具４Ａの嵌合部４１Ａを両胴付きのほぞとし、新規土台材２０Ａのほぞ穴６Ｂを、新規土台材２０Ａの２つのリブ２１ａ，２１ｂ間に形成することにより、柱脚金具４と新規土台材２０Ａとを、ずれのない状態で位置決めして嵌合し接合することができる。
【００６９】
なお、図１３において、その他の部分は第３実施形態と同じであるので、同一部分には同一符号を付して説明は省略する。
【図面の簡単な説明】
【００７０】
【図１】この発明の第１実施形態に係る木造建造物の立柱構造を示す斜視図である。
【図２】図１の木造建造物の立柱構造の要部を示す斜視図である。
【図３】図１の木造建造物の立柱構造の分解斜視図である。
【図４】この発明における柱脚金具を示す斜視図（ａ）、（ａ）の平面図（ｂ）、（ａ）のＩ−Ｉ線に沿う断面図（ｃ）及び（ａ）のII−II線に沿う断面図（ｄ）である。
【図５】上記柱脚金具を形成する前の中空押出形材を示す斜視図である。
【図６】この発明の第２実施形態に係る木造建造物の立柱構造の要部を示す斜視図である。
【図７】図６の分解斜視図である。
【図８】図６のIII−III線に沿う断面図である。
【図９】この発明におけるスペーサの別の形態を示す断面図である。
【図１０】この発明の第３実施形態に係る木造建造物の立柱構造の要部を示す斜視図である。
【図１１】図１０の分解斜視図である。
【図１２】この発明における柱脚金具の別の形態を示す斜視図である。
【図１３】この発明における柱脚金具と新規土台材の別の形態を示す分解斜視図である。
【符号の説明】
【００７１】
２  土台材
３  柱材
４  柱脚金具
６，６Ａ，６Ｂ  ほぞ穴
８ａ，８ｂ  固定ピン（固定部材）
１０，１０Ａ  スペーサ
１１  ほぞ
１３ａ，１３ｂ，１３ｃ  貫通孔
１４  上部スペーサ半体
１５  下部スペーサ半体
１６  ほぞ
１７  ほぞ穴
２０  新規土台材
２１，２１ａ，２１ｂ  リブ
３１  貫通孔
３２  ほぞ穴
４０  中空押出形材
４０ａ〜４０ｄ  側片
４１  嵌合部
４２  嵌装部
４３，４３ａ  リブ
４４ａ  第１の貫通孔
４４ｂ  第２の貫通孔
６１，６１Ａ  貫通孔
【図１】
2009144458.tif 000003
【図２】
2009144458.tif 000004
【図３】
2009144458.tif 000005
【図４】
2009144458.tif 000006
【図５】
2009144458.tif 000007
【図６】
2009144458.tif 000008
【図７】
2009144458.tif 000009
【図８】
2009144458.tif 000010
【図９】
2009144458.tif 000011
【図１０】
2009144458.tif 000012
【図１１】
2009144458.tif 000013
【図１２】
2009144458.tif 000014
【図１３】
2009144458.tif 000015